(57)【要約】  本開示のある態様は、ユーザ機器（ＵＥ）が、好適なビームに関するフィードバックを、別のエレベーションとは異なるビームで送信する基地局（ＢＳ）へ効率的に提供するための技法を提供する。この技法は一般に、ＢＳが、複数のエレベーション・ビームを用いて送信された第１の基準信号を送信することを含む。ＵＥは、第１の基準信号に基づいて、少なくとも１つの好適なエレベーション・ビームを選択し、ＢＳにこれをフィードバックする。ＢＳは、複数のアジマス・ポートおよび好適なエレベーション・ビームを用いて、第２の基準信号を送信する。ＵＥは、第２の基準信号に基づいて、基地局に第２のステージのチャネル・フィードバックを提供する。
2016511572.tif 000002
【特許請求の範囲】
【請求項１】
ユーザ機器（ＵＥ）による無線通信のための方法であって、
多次元アレイをなす送信アンテナを有する基地局から、複数のエレベーション・ビームを用いて送信された第１の基準信号を受信することと、
前記第１の基準信号に基づいて、前記複数のエレベーション・ビームから少なくとも１つの好適なエレベーション・ビームを選択することと、
前記少なくとも１つの好適なエレベーション・ビームのインジケーションを、前記基地局へ提供することと、
前記少なくとも１つの好適なエレベーション・ビームおよび複数のアジマス・ポートを用いて送信された第２の基準信号を受信することと、
前記第２の基準信号に基づいて、前記基地局へ第２のステージのチャネル・フィードバックを提供することと、
を備える方法。
【請求項２】
前記チャネル・フィードバックは、チャネル品質インジケータ（ＣＱＩ）およびプリコーディング行列インジケータ（ＰＭＩ）のうちの少なくとも１つを備える、請求項１に記載の方法。
【請求項３】
前記ＰＭＩは、前記少なくとも１つの好適なエレベーション・ビームのアジマスＰＭＩを備える、請求項２に記載の方法。
【請求項４】
前記複数のエレベーション・ビームは、エレベーション次元におけるアンテナ・ポートを、多くの仮想ビームへマップすることによって形成される、請求項１に記載の方法。
【請求項５】
各エレベーション・ビームは、エレベーション・プリコーディング・ベクトルのエントリのアグリゲーションとして生成される、請求項４に記載の方法。
【請求項６】
前記ＵＥは、少なくとも２つの好適なエレベーション・ビームをフィードバックする、請求項１に記載の方法。
【請求項７】
前記第１の基準信号に基づいて決定されたしきい値を、エレベーション角度幅が上回る場合、前記ＵＥは、少なくとも２つの好適なエレベーション・ビームをフィードバックする、請求項６に記載の方法。
【請求項８】
前記第２の基準信号は、各好適なエレベーション・ビームに関するＵＥ特有のチャネル状態情報基準信号（ＣＳＩ−ＲＳ）リソースを備える、請求項６に記載の方法。
【請求項９】
前記第１の基準信号は、共通のチャネル状態情報基準信号（ＣＳＩ−ＲＳ）リソースを用いて送信され、
前記第２の基準信号は、ＵＥ特有のＣＳＩ−ＲＳリソースを用いて送信され、
前記第２のステージのチャネル・フィードバックは、前記ＵＥ特有のＣＳＩ−ＲＳリソースのうちの少なくとも２つの測定に基づく、請求項１に記載の方法。
【請求項１０】
前記複数のエレベーション・ビームは、複数の固定されたエレベーション・ビームを備え、各固定されたエレベーション・ビームは、特定のチャネル状態情報基準信号（ＣＳＩ−ＲＳ）リソースにマップされる、請求項１に記載の方法。
【請求項１１】
このマッピングに関する情報を示すシグナリングを受信すること、をさらに備える請求項１０に記載の方法。
【請求項１２】
少なくとも１つの好適なエレベーション・ビームのインジケーションを、前記基地局へ提供することは、エレベーション・ビームのグループ・インデクスおよび前記グループ・インデクスにおけるオフセットのインジケーション、を提供することを備える、請求項１に記載の方法。
【請求項１３】
グループに関するフィードバックは、前記オフセットに関するフィードバックほど頻繁に提供されない、請求項１２に記載の方法。
【請求項１４】
少なくとも１つの好適ではない干渉エレベーション・ビーム、または、エレベーション・ビームのグループ・インデクス、のインジケーションを、前記基地局へ提供すること、をさらに備える請求項１に記載の方法。
【請求項１５】
ユーザ機器（ＵＥ）による無線通信のための装置であって、
多次元アレイをなす送信アンテナを有する基地局から、複数のエレベーション・ビームを用いて送信された第１の基準信号を受信するための手段と、
前記第１の基準信号に基づいて、前記複数のエレベーション・ビームから少なくとも１つの好適なエレベーション・ビームを選択するための手段と、
前記少なくとも１つの好適なエレベーション・ビームのインジケーションを、前記基地局へ提供するための手段と、
前記好適なエレベーション・ビームおよび複数のアジマス・ポートを用いて送信された第２の基準信号を受信するための手段と、
前記第２の基準信号に基づいて、前記基地局へ第２のステージのチャネル・フィードバックを提供するための手段と、
を備える装置。
【請求項１６】
前記チャネル・フィードバックは、チャネル品質インジケータ（ＣＱＩ）およびプリコーディング行列インジケータ（ＰＭＩ）のうちの少なくとも１つを備える、請求項１５に記載の装置。
【請求項１７】
前記ＰＭＩは、前記好適なエレベーション・ビームのアジマスＰＭＩを備える、請求項１６に記載の装置。
【請求項１８】
前記複数のエレベーション・ビームは、エレベーション次元におけるアンテナ・ポートを、多くの仮想ビームへマップすることによって形成される、請求項１５に記載の装置。
【請求項１９】
各エレベーション・ビームは、エレベーション・プリコーディング・ベクトルのエントリのアグリゲーションとして生成される、請求項１８に記載の装置。
【請求項２０】
前記ＵＥは、少なくとも２つの好適なエレベーション・ビームをフィードバックする、請求項１５に記載の装置。
【請求項２１】
前記第１の基準信号に基づいて決定されたしきい値を、エレベーション角度幅が上回る場合、前記ＵＥは、少なくとも２つの好適なエレベーション・ビームをフィードバックする、請求項２０に記載の装置。
【請求項２２】
前記第２の基準信号は、各好適なエレベーション・ビームに関するＵＥ特有のチャネル状態情報基準信号（ＣＳＩ−ＲＳ）リソースを備える、請求項２０に記載の装置。
【請求項２３】
前記第１の基準信号は、共通のチャネル状態情報基準信号（ＣＳＩ−ＲＳ）リソースを用いて送信され、
前記第２の基準信号は、ＵＥ特有のＣＳＩ−ＲＳリソースを用いて送信され、
前記第２のステージのチャネル・フィードバックは、前記ＵＥ特有のＣＳＩ−ＲＳリソースのうちの少なくとも２つの測定に基づく、請求項１５に記載の装置。
【請求項２４】
前記複数のエレベーション・ビームは、複数の固定されたエレベーション・ビームを備え、各固定されたエレベーション・ビームは、特定のチャネル状態情報基準信号（ＣＳＩ−ＲＳ）リソースにマップされる、請求項１５に記載の装置。
【請求項２５】
このマッピングに関する情報を示すシグナリングを受信すること、をさらに備える請求項２４に記載の装置。
【請求項２６】
少なくとも１つの好適なエレベーション・ビームのインジケーションを、前記基地局へ提供することは、エレベーション・ビームのグループ・インデクスおよび前記グループ・インデクスにおけるオフセットのインジケーション、を提供することを備える、請求項１５に記載の装置。
【請求項２７】
グループに関するフィードバックは、前記オフセットに関するフィードバックほど頻繁に提供されない、請求項２６に記載の装置。
【請求項２８】
少なくとも１つの好適ではない干渉エレベーション・ビーム、または、エレベーション・ビームのグループ・インデクス、のインジケーションを、前記基地局へ提供すること、をさらに備える請求項１５に記載の装置。
【請求項２９】
ユーザ機器（ＵＥ）による無線通信のための装置であって、
多次元アレイをなす送信アンテナを有する基地局から、複数のエレベーション・ビームを用いて送信された第１の基準信号を受信することと、
前記第１の基準信号に基づいて、前記複数のエレベーション・ビームから少なくとも１つの好適なエレベーション・ビームを選択することと、
前記少なくとも１つの好適なエレベーション・ビームのインジケーションを、前記基地局へ提供することと、
前記好適なエレベーション・ビームおよび複数のアジマス・ポートを用いて送信された第２の基準信号を受信することと、
前記第２の基準信号に基づいて、前記基地局へ第２のステージのチャネル・フィードバックを提供することと、
を行うように構成された少なくとも１つのプロセッサと、
前記少なくとも１つのプロセッサに結合されたメモリと、
を備える装置。
【請求項３０】
記憶された命令群を有するコンピュータ読取可能な媒体を備えるユーザ機器（ＵＥ）による無線通信のためのプログラム製品であって、前記命令群は、
多次元アレイをなす送信アンテナを有する基地局から、複数のエレベーション・ビームを用いて送信された第１の基準信号を受信することと、
前記第１の基準信号に基づいて、前記複数のエレベーション・ビームから少なくとも１つの好適なエレベーション・ビームを選択することと、
前記少なくとも１つの好適なエレベーション・ビームのインジケーションを、前記基地局へ提供することと、
前記好適なエレベーション・ビームおよび複数のアジマス・ポートを用いて送信された第２の基準信号を受信することと、
前記第２の基準信号に基づいて、前記基地局へ第２のステージのチャネル・フィードバックを提供することと、
のために１または複数のプロセッサによって実行可能である、プログラム製品。
【発明の詳細な説明】
【技術分野】
【０００１】
３５Ｕ．Ｓ．Ｃ．§１１９の下の優先権主張
[0001]本願は、本明細書において参照によってその全体が組み込まれている２０１３年１月３１日出願の国際ＰＣＴ出願ＰＣＴ／ＣＮ２０１３／０７１１７８号の利益を主張する。
【背景技術】
【０００２】
[0002]本開示のいくつかの態様は、一般に、無線通信に関し、さらに詳しくは、仮想エレベーション・ポートに基づく３Ｄ多入力多出力（ＭＩＭＯ）チャネル状態情報（ＣＳＩ）フィードバックのための技法に関する。
【０００３】
[0003]無線通信システムは、例えば、音声、データ等のようなさまざまなタイプの通信コンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナーシップ計画（３ＧＰＰ）ロング・ターム・エボリューション（ＬＴＥ）／ＬＴＥ−アドバンスト・システム、および直交周波数分割多元接続（ＯＦＤＭＡ）システムを含む。
【０００４】
[0004]通常、無線多元接続通信システムは、複数の無線端末のための通信を同時にサポートしうる。各端末は、順方向リンクおよび逆方向リンクにおける送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単入力単出力システム、多入力単出力システム、あるいは多入力多出力（ＭＩＭＯ）システムによって確立されうる。
【発明の概要】
【０００５】
[0005]本開示のある態様は、仮想エレベーション・ポートに基づく３Ｄ多入力多出力（ＭＩＭＯ）チャネル状態情報（ＣＳＩ）フィードバックのための技法を提供する。
【０００６】
[0006]本開示のある態様は、ユーザ機器（ＵＥ）による無線通信のための方法を提供する。この方法は一般に、多次元アレイをなす送信アンテナ（a multi-dimensional array of transmit antennas）を有する基地局（ＢＳ）から、複数のエレベーション・ビーム（elevation beams）を用いて送信された第１の基準信号を受信することと、第１の基準信号に基づいて、複数のエレベーション・ビームから少なくとも１つの好適なエレベーション・ビームを選択することと、少なくとも１つの好適なエレベーション・ビームのインジケーションを、基地局へ提供することと、好適なエレベーション・ビームおよび複数のアジマス・ポート（azimuthal ports）を用いて送信された第２の基準信号を受信することと、第２の基準信号に基づいて、基地局へ第２のステージのチャネル・フィードバックを提供することと、を含む。
【０００７】
[0007]本開示のある態様は、多次元アレイをなす送信アンテナを有するＢＳによる無線通信のための方法を提供する。この方法は一般に、複数のエレベーション・ビームを用いて、第１の基準信号を送信することと、第１の基準信号に基づいて複数のエレベーション・ビームから選択された少なくとも１つの好適なエレベーション・ビームのインジケーションを、ＵＥから受信することと、第２の基準信号を、好適なエレベーション・ビームおよび複数のアジマス・ポートを用いて送信することと、第２の基準信号に基づいて、ＵＥからチャネル・フィードバックを受信することと、を含む。
【０００８】
[0008]ある態様については、複数のエレベーション・ビームは、複数の固定されたエレベーション・ビームを備えており、固定された各エレベーション・ビームは、特定のチャネル状態情報基準信号（ＣＳＩ−ＲＳ）リソースにマップされている。態様では、ＵＥはさらに、このマッピングに関する情報を示すシグナリングを受信する。
【０００９】
[0009]本開示のある態様は、ユーザ機器（ＵＥ）による無線通信のための装置を提供する。この装置は一般に、多次元アレイをなす送信アンテナを有する基地局から、複数のエレベーション・ビームを用いて送信された第１の基準信号を受信するための手段と、第１の基準信号に基づいて、複数のエレベーション・ビームから少なくとも１つの好適なエレベーション・ビームを選択するための手段と、少なくとも１つの好適なエレベーション・ビームのインジケーションを、基地局へ提供するための手段と、好適なエレベーション・ビームおよび複数のアジマス・ポートを用いて送信された第２の基準信号を受信するための手段と、第２の基準信号に基づいて、基地局へ第２のステージのチャネル・フィードバックを提供するための手段と、を含む。
【００１０】
[0010]本開示のある態様は、ユーザ機器（ＵＥ）による無線通信のための装置を提供する。この装置は一般に、多次元アレイをなす送信アンテナを有する基地局から、複数のエレベーション・ビームを用いて送信された第１の基準信号を受信し、第１の基準信号に基づいて、複数のエレベーション・ビームから少なくとも１つの好適なエレベーション・ビームを選択し、少なくとも１つの好適なエレベーション・ビームのインジケーションを、基地局へ提供し、好適なエレベーション・ビームおよび複数のアジマス・ポートを用いて送信された第２の基準信号を受信し、第２の基準信号に基づいて、基地局へ第２のステージのチャネル・フィードバックを提供する、ように構成された少なくとも１つのプロセッサを含む。またこの装置は一般に、少なくとも１つのプロセッサに結合されたメモリを含む。
【００１１】
[0011]本開示のある態様は、ユーザ機器（ＵＥ）による無線通信のためのプログラム製品を提供する。プログラム製品は一般に、記憶された命令群を有するコンピュータ読取可能な媒体を含み、この命令群は、多次元アレイをなす送信アンテナを有する基地局から、複数のエレベーション・ビームを用いて送信された第１の基準信号を受信することと、第１の基準信号に基づいて、複数のエレベーション・ビームから少なくとも１つの好適なエレベーション・ビームを選択することと、少なくとも１つの好適なエレベーション・ビームのインジケーションを、基地局へ提供することと、好適なエレベーション・ビームおよび複数のアジマス・ポートを用いて送信された第２の基準信号を受信することと、第２の基準信号に基づいて、基地局へ第２のステージのチャネル・フィードバックを提供することと、のために１または複数のプロセッサによって実行可能である。
【００１２】
[0012]本開示の態様はまた、前述された方法にしたがって動作を実行するためのさまざまな装置およびプログラム製品を含む。
【図面の簡単な説明】
【００１３】
【図１】[0013]図１は、本開示のある態様にしたがう無線通信ネットワークの例を概念的に例示するブロック図である。
【図２】[0014]図２は、本開示のある態様にしたがう無線通信ネットワークにおいて、ユーザ機器（ＵＥ）と通信している基地局の例を概念的に例示するブロック図である。
【図３】[0015]図３は、本開示のある態様にしたがう無線通信ネットワークにおけるフレーム構造の例を概念的に例示するブロック図である。
【図４】[0016]図４は、本開示のある態様にしたがう高次元の多入力多出力（ＭＩＭＯ）通信のために使用されうるアンテナ・アレイの例を例示する。
【図５】[0017]図５は、本開示のある態様にしたがう例示的な仮想アンテナ・マッピングを例示する。
【図６】[0018]図６は、本開示のある態様にしたがう、チャネル状態情報基準信号（ＣＳＩ−ＲＳ）リソース割当の例を例示する。
【図７】[0019]図７は、本開示のある態様にしたがって、２Ｄアンテナ・アレイにエレベーション・ビームフォーミングを適用する例示的な無線通信ネットワークを概念的に例示するブロック図である。
【図８】[0020]図８は、本開示のある態様にしたがって、アジマス方位（azimuth-oriented）およびエレベーション方位（elevation-oriented）のプリコーディング行列インジケータ（ＰＭＩ）を用いた例示的なフィードバックを例示する。
【図９】[0021]図９は、本開示のある態様にしたがう例示的な仮想アンテナ・マッピングを例示する。
【図１０】[0022]図１０は、本開示のある態様にしたがって、仮想的な垂直ビームを用いた３Ｄ−ＭＩＭＯのためのマルチ・ステージＣＳＩフィードバックの例示的な実施を概念的に例示するブロック図である。
【図１１】[0023]図１１は、本開示のある態様にしたがって、ＵＥによって実行されうる動作の例を例示する。
【図１２】[0024]図１２は、本開示のある態様にしたがって、基地局によって実行されうる動作の例を例示する。
【発明を実施するための形態】
【００１４】
[0025]本開示のある態様は、仮想エレベーション・ポートに基づく３Ｄ多入力多出力（ＭＩＭＯ）チャネル状態情報（ＣＳＩ）フィードバックのための技術を提供する。ある態様によれば、ＵＥは、多次元アレイをなす送信アンテナを有する基地局から、第１の基準信号（ＲＳ）を受信する。ＲＳは、複数のエレベーション・ビームを用いて、ＢＳから送信され、ＵＥは、好適なエレベーション・ビームを選択し、好適なエレベーション・ビームのインジケーションを基地局へ提供する。ＵＥは、それに続いて、好適なエレベーション・ビームおよび複数のアジマス・ポートを用いるＢＳから、ＲＳを受信する。ＵＥは、その後、好適なエレベーション・ビームを用いて送信されたＲＳに基づいて、ＢＳへチャネル・フィードバックを提供する。
【００１５】
[0026]本明細書に記載された技法は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上無線アクセス（ＵＴＲＡ）、ｃｄｍａ２０００等のような無線技術を実現しうる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のような無線技術を実現しうる。ＯＦＤＭＡネットワークは、エボルブドＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ）およびＬＴＥアドバンスト（ＬＴＥ−Ａ）は、周波数分割複信（ＦＤＤ）と時分割複信（ＴＤＤ）との両方において、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織からの文書に記載されている。ｃｄｍａ２０００およびＵＭＢは、「第３世代パートナーシッププロジェクト２」（３ＧＰＰ２）という名称の組織からの文書に記載されている。本明細書で記載された技法は、他の無線ネットワークおよび無線技術と同様に、上述された無線ネットワークおよび無線技術のために使用されうる。明瞭さのために、これら技術のある態様は、以下において、ＬＴＥ／ＬＴＥアドバンストについて記載されており、以下に記載の多くでは、ＬＴＥ／ＬＴＥアドバンスト専門用語が使用されている。
【００１６】
例示的な無線通信ネットワーク
[0027]図１は、無線通信ネットワーク１００を示す。これは、ＬＴＥネットワークまたはその他いくつかの無線ネットワークでありうる。無線ネットワーク１００は、多くのエボルブド・ノードＢ（ｅＮＢ）１１０およびその他のネットワーク・エンティティを含みうる。ｅＮＢは、ユーザ機器（ＵＥ）と通信するエンティティであり、基地局、ノードＢ、アクセスポイント等とも称されうる。各ｅＮＢは、特定の地理的エリアのために通信カバレージを提供しうる。３ＧＰＰでは、用語「セル」は、この用語が使用されるコンテキストに依存して、このカバレージエリアにサービス提供しているｅＮＢおよび／またはｅＮＢサブシステムのカバレージエリアを称しうる。
【００１７】
[0028]ｅＮＢは、マクロ・セル、ピコ・セル、フェムト・セル、および／または、その他のタイプのセルのために、通信カバレージを提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ）によって制限されたアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢ（ＨｅＮＢ）と称されうる。図１に示す例では、ｅＮＢ１１０ａは、マクロ・セル１０２ａのためのマクロｅＮＢであり得、ｅＮＢ１１０ｂは、ピコ・セル１０２ｂのためのピコｅＮＢであり得、ｅＮＢ１１０ｃは、フェムト・セル１０２ｃのためのフェムトｅＮＢでありうる。ｅＮＢは、１または複数（例えば３つ）のセルをサポートしうる。「ｅＮＢ」、「基地局」、および「セル」という用語は、本明細書において置換可能に使用されうる。
【００１８】
[0029]無線ネットワーク１００はさらに、リレー局をも含みうる。リレー局は、データの伝送を上流局（例えば、ｅＮＢまたはＵＥ）から受信し、データの伝送を下流局（例えば、ＵＥまたはｅＮＢ）へ送信するエンティティである。リレー局はまた、他のＵＥのための送信を中継するＵＥでもありうる。図１に示される例において、リレー局１１０ｄは、ｅＮＢ１１０ａとＵＥ１２０ｄとの間の通信を容易にするために、マクロｅＮＢ１１０ａおよびＵＥ１２０ｄと通信しうる。リレー局はまた、リレーｅＮＢ、リレー基地局、リレー等とも称されうる。
【００１９】
[0030]無線ネットワーク１００は、例えば、マクロｅＮＢ、ピコｅＮＢ、フェムトｅＮＢ、リレーｅＮＢ等のような異なるタイプのｅＮＢを含むヘテロジニアスなネットワークでありうる。これら異なるタイプのｅＮＢは、異なる送信電力レベル、異なるカバレージエリア、および、無線ネットワーク１００内の干渉に対する異なるインパクトを有しうる。例えば、マクロｅＮＢは、高い送信電力レベル（例えば、５〜４０ワット）を有する一方、ピコｅＮＢ、フェムトｅＮＢ、およびリレーｅＮＢは、低い送信電力レベル（例えば、０．１〜２ワット）を有しうる。
【００２０】
[0031]ネットワーク・コントローラ１３０は、ｅＮＢのセットに結合しており、これらｅＮＢに対して調整および制御を提供しうる。ネットワーク・コントローラ１３０は、バックホールを介してｅＮＢと通信しうる。ｅＮＢはまた、例えば、ダイレクトに、または、無線または有線のバックホールを介して非ダイレクトに、互いに通信しうる。
【００２１】
[0032]無線ネットワーク１００の全体にわたって、ＵＥ（UEs）１２０が分布しうる。そして、各ＵＥは、固定式または移動式でありうる。ＵＥは、アクセス端末、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス・フォン、無線ローカル・ループ（ＷＬＬ）局、タブレット、スマートフォン、ネットブック、スマートブック等でありうる。
【００２２】
[0033]図２は、図１における基地局／ｅＮＢのうちの１つ、およびＵＥのうちの１つでありうる、基地局／ｅＮＢ１１０とＵＥ１２０との設計のブロック図を示す。基地局１１０は、Ｔ個のアンテナ２３４ａ〜２３４ｔを備え、ＵＥ１２０は、Ｒ個のアンテナ２５２ａ〜２５２ｒを備えうる。ここで、一般に、Ｔ≧１およびＲ≧１である。
【００２３】
[0034]基地局１１０では、送信プロセッサ２２０は、１または複数のＵＥのためのデータを、データ・ソース２１２から受信し、ＵＥから受信したＣＱＩに基づいて、各ＵＥのための１または複数の変調および符号化スキーム（ＭＣＳ）を選択し、ＵＥのために選択された（１または複数の）ＭＣＳに基づいて、各ＵＥのためのデータを処理（例えば、符号化および変調）し、すべてのＵＥのためのデータ・シンボルを提供する。送信プロセッサ２２０はまた、システム情報および制御情報（例えば、ＣＱＩ要求、許可、上位レイヤ・シグナリング等）を処理し、オーバヘッド・シンボルおよび制御シンボルを提供しうる。プロセッサ２２０はまた、基準信号（例えば、ＣＲＳ）および同期信号（例えば、ＰＳＳおよびＳＳＳ）のための基準シンボルを生成しうる。送信（ＴＸ）多入力多出力（ＭＩＭＯ）プロセッサ２３０は、適用可能であれば、ＵＥからのＰＭＩ（プリコーディング行列インジケータ）フィードバック、制御シンボル、オーバヘッド・シンボル、および／または、基準シンボルを用いて、データ・シンボルに対して空間処理（例えば、プリコーディング）を実行し得、Ｔ個の出力シンボル・ストリームを、Ｔ個の変調器（ＭＯＤ）２３２ａ〜２３２ｔへ提供しうる。各変調器２３２は、（例えば、ＯＦＤＭ等のために）それぞれの出力シンボル・ストリームを処理して、出力サンプル・ストリームを得る。各変調器２３２はさらに、出力サンプル・ストリームを処理（例えば、アナログ変換、増幅、フィルタ、およびアップコンバート）し、ダウンリンク信号を取得する。Ｔ個の変調器２３２ａ〜２３２ｔからのダウンリンク信号は、Ｔ個のアンテナ２３４ａ〜２３４ｔによってそれぞれ送信されうる。
【００２４】
[0035]ＵＥ１２０では、アンテナ２５２ａ〜２５２ｒが、基地局１１０および／またはその他の基地局からダウンリンク信号を受信し、受信した信号を、復調器（ＤＥＭＯＤ）２５４ａ〜２５４ｒへそれぞれ提供しうる。各復調器２５４は、受信されたそれぞれの信号を調整（例えば、フィルタ、増幅、ダウンコンバート、およびデジタル化）して、入力サンプルを取得しうる。各復調器２５４はさらに、（例えば、ＯＦＤＭ等のため）これら入力サンプルを処理して、受信されたシンボルを取得しうる。ＭＩＭＯ検出器２５６は、Ｒ個すべての復調器２５４ａ〜２５４ｒから受信したシンボルを取得し、適用可能である場合、これら受信されたシンボルに対してＭＩＭＯ検出を実行し、検出されたシンボルを提供しうる。受信プロセッサ２５８は、検出されたシンボルを処理（例えば、復調および復号）し、復号されたデータをＵＥ１２０のためにデータ・シンク２６０に提供し、復号された制御情報およびシステム情報をコントローラ／プロセッサ２８０へ提供しうる。チャネル・プロセッサは、ＲＳＲＰ、ＲＳＳＩ、ＲＳＲＱ、ＣＱＩ等を決定しうる。
【００２５】
[0036]アップリンクでは、ＵＥ１２０において、送信プロセッサ２６４が、データ・ソース２６２からデータを、コントローラ／プロセッサ２８０から（例えば、ＲＳＲＰ、ＲＳＳＩ、ＲＳＲＱ、ＣＱＩ等を備えるレポートのための）制御情報を受け取り、これらを処理しうる。プロセッサ２６４はさらに、１または複数の基準信号のための基準シンボルを生成しうる。送信プロセッサ２６４からのシンボルは、適用可能であれば、ＴＸ  ＭＩＭＯプロセッサ２６６によってプリコードされ、さらに、（例えば、ＳＣ−ＦＤＭ、ＯＦＤＭ等のために）変調器２５４ａ〜２５４ｒによって処理され、基地局１１０へ送信されうる。基地局１１０では、ＵＥ１２０およびその他のＵＥからのアップリンク信号が、アンテナ２３４によって受信され、復調器２３２によって処理され、適用可能な場合にはＭＩＭＯ検出器２３６によって検出され、さらに、受信プロセッサ２３８によって処理されて、ＵＥ１２０へ送信された復号されたデータおよび制御情報が取得されうる。プロセッサ２３８は、復号されたデータをデータ・シンク２３９へ提供し、復号された制御情報をコントローラ／プロセッサ２４０へ提供しうる。基地局１１０は、通信ユニット２４４を含んでおり、通信ユニット２４４を介して、ネットワーク・コントローラ１３０へ通信しうる。ネットワーク・コントローラ１３０は、通信ユニット２９４、コントローラ／プロセッサ２９０、およびメモリ２９２を含みうる。
【００２６】
[0037]コントローラ／プロセッサ２４０，２８０は、基地局１１０およびＵＥ１２０それぞれにおける動作を指示しうる。基地局１１０におけるプロセッサ２４０および／またはその他のプロセッサおよびモジュール、および／または、ＵＥ１２０におけるプロセッサ２８０および／またはその他のプロセッサおよびモジュールは、本明細書に記載された技法のための処理を実行または指示しうる。メモリ２４２，２８２は、基地局１１０およびＵＥ１２０それぞれのためのデータおよびプログラム・コードを格納しうる。スケジューラ２４６は、ダウンリンクおよび／またはアップリンクでのデータ送信のためにＵＥをスケジュールしうる。
【００２７】
[0038]以下にさらに詳しく説明されるように、基地局１１０は、ＵＥ１２０へデータを送信する場合、データ割当サイズに少なくとも部分的に基づいて、バンドル・サイズ（bundling size）を決定し、決定されたバンドル・サイズを持つ、バンドルされた連続的なリソース・ブロックにおけるデータをプリコードするように構成されうる。ここで、各バンドルにおけるリソース・ブロックは、共通のプリコーディング行列を用いてプリコードされる。すなわち、例えば、リソース・ブロックにおけるデータおよび／またはＵＥ−ＲＳのような基準信号が、同じプリコーダを用いてプリコードされる。バンドルされたＲＢの各ＲＢにおけるＵＥ−ＲＳのために使用される電力レベルも同じでありうる。
【００２８】
[0039]ＵＥ１２０は、基地局１１０から送信されたデータを復号するための補足的な処理を実行するように構成されうる。例えば、ＵＥ１２０は、連続的なリソース・ブロック（ＲＢ）のバンドルで、基地局から送信された受信データのデータ割当サイズに基づいて、バンドル・サイズを決定し、ここで、各バンドルにおけるリソース・ブロックにおける少なくとも１つの基準信号は、共通のプリコーディング行列を用いてプリコードされる、基地局から送信された１または複数の基準信号（ＲＳ）と、決定されたバンドル・サイズとに基づいて、少なくとも１つのプリコードされたチャネルを推定し、受信されたバンドルを、推定されたプリコードされたチャネルを用いて復号する、ように構成されうる。
【００２９】
[0040]図３は、ＬＴＥにおけるＦＤＤのための典型的なフレーム構造３００を示す。ダウンリンクおよびアップリンクの各々のための送信タイムラインは、無線フレームの単位に区分されうる。各無線フレームは、（例えば１０ミリ秒（ｍｓ）のような）予め定められた持続時間を有し、０〜９のインデクス（indices）を付された１０個のサブフレームへ区分されうる。各サブフレームは２つのスロットを含みうる。したがって、各無線フレームは、０〜１９のインデクスを付された２０のスロットを含みうる。各スロットは、例えば、（図２に示すように）通常のサイクリック・プレフィクスの場合、７つのシンボル期間、拡張されたサイクリック・プレフィクスの場合、６つのシンボル期間のように、Ｌ個のシンボル期間を含みうる。各サブフレームでは、２Ｌ個のシンボル期間が、０〜２Ｌ−１のインデクスを割り当てられうる。
【００３０】
[0041]ＬＴＥでは、ｅＮＢは、ｅＮＢによってサポートされる各セルのためのシステム帯域幅の中央１．０８ＭＨｚで、ダウンリンクで一次同期信号（ＰＳＳ）および二次同期信号（ＳＳＳ）を送信しうる。図３に示すように、ＰＳＳおよびＳＳＳは、通常のサイクリック・プレフィクスを持つ各無線フレームのサブフレーム０およびサブフレーム５において、シンボル期間６およびシンボル期間５でそれぞれ送信されうる。ＰＳＳおよびＳＳＳは、ＵＥによって、セル探索および獲得のために使用されうる。ｅＮＢは、ｅＮＢによってサポートされている各セルについて、システム帯域幅で、セル特有基準信号（ＣＲＳ）を送信しうる。ＣＲＳは、各サブフレームのあるシンボル期間で送信されうる。そして、チャネル推定、チャネル品質測定、および／または、その他の機能を実行するために、ＵＥによって使用されうる。ｅＮＢはまた、ある無線フレームのスロット１におけるシンボル期間０〜３で、物理ブロードキャスト・チャネル（ＰＢＣＨ）を送信しうる。ＰＢＣＨは、いくつかのシステム情報を伝送しうる。ｅＮＢは、例えばシステム情報ブロック（ＳＩＢ）のようなその他のシステム情報を、あるサブフレームで、物理ダウンリンク共有チャネル（ＰＤＳＣＨ）で送信しうる。ｅＮＢは、サブフレームの最初のＢ個のシンボル期間において、物理ダウンリンク制御チャネル（ＰＤＣＣＨ）で制御情報／データを送信しうる。ここで、Ｂは各サブフレームについて設定可能でありうる。ｅＮＢは、各サブフレームの残りのシンボル期間において、ＰＤＳＣＨで、トラフィック・データおよび／またはその他のデータを送信しうる。
【００３１】
[0042]いくつかのシステムでは、ピーク・データ・レートを高めるために、より高次元の３Ｄ  ＭＩＭＯ（同様に「より低次元の」２Ｄ  ＭＩＭＯ）システムが説明された。例として、６４本のアンテナを備えた２Ｄアンテナ・アレイ・システムでは、図４に図示されるように、２Ｄ平面上に８×８アンテナのグリッドを展開させることが可能である。このケースでは、アジマスとエレベーションとの両方におけるビームフォーミング／ＳＤＭＡ利得を活用するために、垂直方向のビームフォーミングのみならず、水平方向のビームフォーミングが、使用されうる。アジマス次元のみで展開された、ｅＮＢにおける８つのアンテナによって、水平方向におけるＳＤＭＡまたはＳＵ−ＭＩＭＯが可能となる。しかしながら、さらにエレベーションにアンテナを含めることによって、（例えば、高層ビルディングにおける異なるフロアをサポートするために、）垂直平面におけるビームフォーミングをも可能となる。
【００３２】
[0043]フィードバックおよびプリコーディング行列選択のみならず、ＲＳに関連付けられた複雑さおよびオーバヘッドを低減するために、必要とされるＲＳポートを低減するためのアンテナ・ポート対仮想ビーム・マッピングが（例えば、Ｎ個のアンテナからＫ個の仮想ビームへ変換するために）利用されうる。
【００３３】
[0044]図５に例示されているように、アンテナ・ポートから仮想ビームへのマッピングは、アジマスとエレベーションとの両方における異なる方向においてビームフォームするように定期的に変動しうる。このアプローチは、経時的に、ビームフォーミング方向におけるより良好な粒度（granularity）を可能にしうる。ｅＮＢは、このような更新の周期（periodicity）をＵＥへシグナルしうる。ＣＳＩレポートは、ビーム・スキャン周期の周期にマップされうる。ＵＥは、任意の時間において、Ｋ個の仮想ビームをモニタし、Ｋ個の仮想ビームに基づいて、ＣＳＩをレポートする。
【００３４】
[0045]更新周期および仮想ビームの数は、ｅＮＢによって適応的に設定され、ＲＲＣシグナリングでＵＥへシグナルされうる。これは、以下に記載されるように、ＵＥ透過方式でなされうる。
【００３５】
仮想エレベーション・ビームに基づく３Ｄ  ＭＩＭＯ  ＣＳＩフィードバック
[0046]３次元（３Ｄ）多入力多出力（ＭＩＭＯ）およびエレベーション・ビームフォーミングは、ｅノードＢ（ｅＮＢ）において比較的多数のアンテナを有する２次元（２Ｄ）アンテナ・アレイを用いることによってシステム容量を改善しうる。３Ｄ−ＭＩＭＯおよびエレベーション・ビームフォーミングは、比較的小さなイントラセル（intra-cell）干渉と、比較的高いビームフォーミング利得とを有する。しかしながら、３Ｄ−ＭＩＭＯおよびエレベーション・ビームフォーミングに伴う１つの問題は、チャネル状態情報（ＣＳＩ）測定およびフィードバックをどのようにして実行するかである。例えば、合計でＥ×Ａ個の利用可能なポート（例えば、エレベーション・ポート毎にＡ個のアジマス・ポートと、合計してＥ個のエレベーション・ポート）を仮定すると、ＵＥは、各ランクに関する時間および周波数において、Ｅ×Ａ個のポートの各々に、フェージング（phasing）重みフィードバックを提供しうる。
【００３６】
[0047]図６は、ＬＴＥのためのＣＳＩ基準信号（ＣＳＩ−ＲＳ）リソース６０２の例示的な割当６００を例示する。ｅＮＢは、ダウンリンクＣＳＩ測定のために、低デューティ・サイクル基準信号（例えば、ＣＳＩ−ＲＳ）を特定のＵＥへ送信しうる。ある態様によれば、ＣＳＩ−ＲＳは、最大８つのアンテナ・ポートをサポートすることができ、広帯域方式で送信されうる。態様では、ＣＳＩ−ＲＳアンテナ・ポートの数に依存して、異なる位置に複数の再使用パターンが存在し、異なるセル（例えばＣｅｌｌ  １  ６０４、Ｃｅｌｌ  ２  ６０６、Ｃｅｌｌ  ３  ６０８）が、相互のＣＳＩ−ＲＳ衝突を回避するために、異なるパターンを利用できるようになる。態様では、ＣＳＩ−ＲＳは、５、１０、２０、４０、または８０ミリ秒毎に一度だけ送信されうる。
【００３７】
[0048]低オーバヘッドはまた、リソース・ブロック（ＲＢ）毎に２つのリソース要素（ＲＥ）が割り当てられるという、ＣＳＩ−ＲＳが１つのアンテナ・ポートのみを有する場合を除いて、ＣＳＩ−ＲＳアンテナ・ポート毎に、リソース・ブロック（ＲＢ）毎に１つのリソース要素（ＲＥ）を割り当てることによって達成されうる。いくつかのケースでは、３Ｄ  ＭＩＭＯが考慮されるので、特定のエレベーション・ビームが、特定のＣＳＩ−ＲＳリソースにマップされうる。
【００３８】
[0049]図７は、本開示のある態様にしたがって、２Ｄアンテナ・アレイにエレベーション・ビームフォーミングを適用する無線通信ネットワーク７００の例を概念的に例示するブロック図である。２Ｄアンテナ・アレイにエレベーション・ビームフォーミングを適用することは、１つのアジマス・セクタではなく、２つの垂直セクタを生成しうる。図７に図示されるように、ＵＥ−Ａ１  ７０６は、ｅＮＢ  Ａ  ７０２の範囲内に配置され、ＵＥ−Ａ２  ７０８は、ｅＮＢ  Ａ  ７０２のセル端部に配置されうる。ＵＥ−Ｂ１  ７１２は、ｅＮＢ  Ｂ  ７０４の範囲内に配置され、ＵＥ−Ｂ２  ７１０は、ｅＮＢ  Ｂ  ７０４のセル端部に配置されうる。ビームＬは、セルの内部に配置されたＵＥのために使用され、ビームＨは、セル端部におけるＵＥのために使用されうる。
【００３９】
[0050]ある態様によれば、ＬＴＥでは、例えば、予め定義されたコードブック・セットに基づいて、チャネル情報の暗黙的なフィードバックが使用されうる。コードブック・セット・サイズは、アンテナの数に比例しうる。態様では、アンテナ・ポートの数が、８つのポートを超える場合、使用されるコードブック・セットのサイズは、巨大になる。例えば、２つのアンテナ・ポートの場合、ランク１送信を仮定すると、コードブック・セット・サイズは４である。４つのアンテナ・ポートの場合、コードブック・セット・サイズは１６である。また、８つのアンテナ・ポートの場合、コードブック・セット・サイズは３２である。さらに、アジマス角度と比較して、エレベーション角度は、一般に、都市のマクロ・セルの場合、９３度と１０９度（つまり、１６度の範囲）の間にある。
【００４０】
[0051]したがって、３Ｄ  ＭＩＭＯおよびエレベーション・ビームフォーミングのための簡略化されたＵＥ測定および効率的なコードブック設計が、所望される。
【００４１】
[0052]図８は、本開示のある態様にしたがう、製品構造コードブック８００を例示する。ある態様によれば、プリコーディング行列インデクス（ＰＭＩ）が、アジマスのみ、およびエレベーションのみに分離されうる。このアプローチを用いて、Ｅ×Ａ個のポートのフィードバックは、Ｅ個のポートのフィードバック８０４と、Ａ個のポートのフィードバック８０２とにダウングレードされうる。ＵＥは、フィードバック・アジマス方位のＰＭＩおよびエレベーション方位のＰＭＩを分離し、ｅＮＢは、これら２つのＰＭＩフィードバックを結合して、Ｅ×Ａ個のアンテナ・ポートのプリコーディング重みを生成する。
【００４２】
[0053]Ｅ×１個のＣＢが［Ｖ１，Ｖ２，．．．ＶＥ］であり、Ａ×１個のＣＢが［ＶＡ］であると仮定すると、ＥＡ×１個のＣＢは、［Ｖ１ＶＡ，Ｖ２ＶＡ，．．．ＶＥＶＡ］である。図８に見られるように、ポート１−８が、アジマスＰＭＩ導出のため使用され、ポート１，２，９，１０，５７および５８が、エレベーションＰＭＩ導出のために使用される。Ａ個のポートを用いる１つのＣＳＩ基準信号（ＣＳＩ−ＲＳ）リソースは、アジマス方位ＰＭＩ測定のために使用される。態様では、Ａ個のポートを用いるＣＳＩ−ＲＳリソースは、セル特有のエレベーション・ダウンチルト（cell specific elevation downtilt）のようなエレベーション・アンテナ・アグリゲーションを用いて送信される。
【００４３】
[0054]同様に、Ｅ個のポートを用いる別のＣＳＩ−ＲＳリソースは、エレベーション方位のＰＭＩ測定のためのセル特有のアジマス・アンテナ・アグリゲーションを用いて送信されうる。ある態様によれば、ＵＥは、２つのＣＳＩ−ＲＳリソースから、アジマスおよびエレベーションのＰＭＩを測定および導出しうる。エレベーションのＰＭＩは、エレベーション次元内の各アジマス・ストリームをコフェーズ（co-phase）することによって導出されうる。２つのＣＳＩ−ＲＳリソースの、アグリゲートされたＣＱＩは、送信のためにＥ×Ａ個のアンテナを用いるという仮定の下、計算され、フィードバックされる。
【００４４】
[0055]３Ｄ−ＭＩＭＯのために製品構造コードブック設計を用いることは、欠点がありうる。ＣＳＩ測定のためのセル特有のアンテナ・アグリゲーションは、ＵＥ特有のアンテナ・アグリゲーションが適用されるデータ送信とは異なるチャネルとなりうる。製品構造コードブック設計では、エレベーション角度およびアジマス角度は独立しており、アンテナの行は、互いに高く相関付けられているという仮定に基づいて、エレベーションのＰＭＩは、エレベーション次元における各アジマス・ストリームをコフェーズするために使用されうる。エレベーション角度幅（elevation angular spread）が大きい場合、これは有効ではない場合がありうる。最後に、製品構造コードブック設計は、エレベーションとアジマスとの両方において、ランク＞１送信をサポートしない場合がありうる。
【００４５】
[0056]仮想エレベーション・ビームを利用することによる３Ｄ  ＭＩＭＯのためのＣＳＩフィードバックのための技法および装置が本明細書において提示されている。
【００４６】
[0057]図９は、本開示のある態様にしたがう、例示的な仮想エレベーション・ビーム・マッピング９００を例示する。図９に見られるように、ｅＮＢ９０２は、ＵＥ１  ９０６およびＵＥ２  ９０４のために、仮想エレベーション・ビームＬおよびＭにマップされたエレベーション・ビームｋ，１，２および３を使用しうる。仮想垂直ビームは、異なるエレベーション・アグリゲーション重み（different elevation aggregation weights）から構築された１つの可能なエレベーション・アンテナ・アグリゲーション方法または垂直ビーム・パターンを示す。仮想ビームの総数は、プリコーディング重み（precoding weights）のセット、または、エレベーション・コードブック・セットのサイズに等しくなりうる。第２のステージのアジマスＰＭＩ／ＣＱＩフィードバックと組み合わされた仮想ビーム・フィードバックは、３Ｄ−ＭＩＭＯ  ＣＳＩフィードバックから構成されうる。一般に、ＵＥは、エレベーション・アンテナ・ポートを認識しておらず、仮想エレベーション・ビームの数しか認識していない。
【００４７】
[0058]図１０は、本開示のある態様にしたがう、仮想エレベーション・ビーム・マッピングおよび３Ｄ  ＭＩＭＯ  ＣＳＩフィードバック・メカニズムの例示的な実施を概念的に例示するブロック図１０００である。図１０に見られるように、１００４において、ｅＮＢ１００２は、すべての可能なエレベーション・アグリゲーション重みを用いることによって、多くの仮想エレベーションを形成しうる。１００６において、ＵＥは、共通のＣＳＩ−ＲＳリソースにおいて、形成された仮想ビームを測定し、好適な仮想エレベーション・ビームのインデクスをｅＮＢ１００２へフィードバックしうる。その後、ｅＮＢ１００２は、第２のステージのアジマスＰＭＩ／ＣＱＩ測定のフィードバック・エレベーション・ビーム・インデクスに基づいて、ＵＥ専用のＣＳＩ−ＲＳリソースで、ＵＥ特有のエレベーション・アンテナ・アグリゲーションを送信しうる。態様では、ＵＥは、エレベーションＭＩＭＯ目的のために、複数のエレベーション・ビーム・インジケータをフィードバックしうる。
【００４８】
[0059]ある態様によれば、第２のステージのアジマスＰＭＩ／ＣＱＩ測定のためのＣＳＩ−ＲＳリソースと複数のエレベーション・ビームとの間に固定のマッピングが存在する。例えば、セル・サイズに依存して、小数の固定された垂直ビームが決定され、異なるＣＳＩ−ＲＳリソースへマップされうる（例えば、各ＣＳＩ−ＲＳリソースが、１つの特有のエレベーション・アグリゲーションによってビームシェープされ（be beamshaped）うる）。この情報は、ＵＥ特有の無線リソース制御（ＲＲＣ）シグナリングの代わりに、システム情報ブロック（ＳＩＢ）でブロードキャストされうる。態様では、共通のＣＲＳ−ＲＳ測定に基づいて、ＵＥは、３Ｄ−ＭＩＭＯ  ＣＱＩ／ＰＭＩをフィードバックするために、ＵＥに好適な垂直ビームに対応する１または複数のＣＳＩ−ＲＳリソースを選択しうる。
【００４９】
[0060]ある態様によれば、フィードバックに基づくＵＥ特有のエレベーション・アンテナ・アグリゲーションを用いて、Ｅ×Ａ個のポートが、Ａ個のポートにアグリゲートされうる。したがって、第２のステージのアジマスＰＭＩ／ＣＱＩフィードバックのために、既存の２Ｄ  ＭＩＭＯ  ＰＭＩフィードバック方法が使用されうる。例えば、アジマス・ポートの数が８に制限されていると仮定すると、ＬＴＥの既存のコードブック・セットが、第２のステージのアジマスＰＭＩフィードバックのために使用されうる。態様では、垂直ビームは、オーバラップする（すなわち、固有空間領域（eigen-space domain））ことも、しない（すなわち、角度領域）こともありうる。
【００５０】
[0061]ある態様によれば、ＵＥはまた、専用ＣＳＩ−ＲＳリソースにおいて、測定されたＣＱＩをフィードバックしうる。専用ＣＳＩ−ＲＳリソースは、ＵＥ特有のエレベーション・アンテナ・アグリゲーションを用いて送信されるので、フィードバックＣＱＩは、製品構造コードブックＰＭＩ方法に関して、ある種のアグリゲートされたＣＱＩでありうる。これは、アジマスのみまたはエレベーションのみで測定されたＣＱＩとは異なる。
【００５１】
[0062]仮想ビーム・フィードバック過負荷をさらに低減するために、階層的なフィードバック方法もまた使用されうる。階層的なフィードバック方法の場合、Ｅ個のポートから形成された合計Ｍ個の仮想エレベーション・ビームが、各々Ｌ個のビームを有するＫ個のグループへ分類されうる。態様では、異なるグループにおけるビームは、直交しうるか、または、疑似的に直交しうる。例えば、８つのエレベーション・ポートからの１６のビームが、８つのグループ｛０，１，２，３｝，｛２，３，４，５｝，｛４，５，６，７｝，・・・・｛１３，１４，１５，１６｝，｛１５，１６，０，１｝に分割されうる。
【００５２】
[0063]ある態様によれば、エレベーション・ビーム測定のための共通のＣＳＩ−ＲＳリソースの構成は、現在の２Ｄ  ＭＩＭＯフレームワーク（例えば、ＡｎｔｅｎｎａＰｏｒｔｓＣｏｕｎｔ、ＲｅｓｏｕｒｃｅＣｏｎｆｉｇ、およびＳｕｂｆｒａｍｅＣｏｎｆｉｇ等）におけるような、既存のＣＳＩ−ＲＳ構成を使用しうる。共通のＣＳＩ−ＲＳリソースについては、測定のためのアンテナ・ポートの数は、垂直ビーム・グループの数と等しくなりうる。各グループにおける１つのビームのみが、各ＰＲＢにおいて送信されうる。態様では、各グループにおけるビームが、サイクリック・シフトされ、複数のＰＲＢによって周波数領域で、および／または、各シンボル発生中に時間領域で送信されうる。共通のＣＳＩ−ＲＳを測定することによって、ＵＥは、好適なエレベーション・ビーム・パターンを決定する。
【００５３】
[0064]ある態様によれば、共通のＣＳＩ−ＲＳリソースは、すべてのエレベーション認識ＵＥ（all elevation aware UEs）のために設定される。態様では、レガシーＵＥの場合、ｅＮＢは、専用ＣＳＩ−ＲＳ送信のために、セル・レベル・エレベーション・アンテナ・アグリゲーションを適用しうる。
【００５４】
[0065]態様では、垂直のビームを導出するためのアルゴリズムは、例えば、受信信号強度に基づきうる。ＵＥは、選択された最良および最悪のグループ・インデクスのみならず、最良のグループにおけるビーム・オフセットを、ｅＮＢへフィードバックしうる。高速適応のために、オフセットおよびビーム・グループのフィードバック・レートは、異なりうる（例えば、グループ・インデクスについては、比較的より遅いレートである）。ＵＥは、エレベーション角度幅が大きい場合、エレベーションにおけるマルチ・ストリーム・データ送信のために、複数の最良のエレベーション・ビーム・グループをフィードバックしうる。例えば、２つの垂直ビーム・グループ｛０｝および｛８｝がフィードバックされ、２つの専用ＣＳＩ−ＲＳリソースが設定され、それぞれが、１つのエレベーション・ビームに対応する。そのような場合、第２のステージのアジマスＰＭＩ／ＣＱＩは、２つの専用ＣＳＩ−ＲＳリソースから決定される。
【００５５】
[0066]態様では、ＵＥはまた、マルチ・ユーザ干渉緩和、および、エレベーション領域におけるマルチ・ユーザＭＩＭＯ（ＭＵ−ＭＩＭＯ）のためのｅＮＢを支援するために、最悪の干渉ビーム・グループをもフィードバックしうる。
【００５６】
[0067]図１１は、本開示のある態様にしたがう無線通信のための例示的な動作１１００を例示する。この動作１１００は、例えば、ＵＥ（例えば、ＵＥ１２０）によって実行されうる。動作１１００は、１１０２において、多次元アレイをなす送信アンテナを有する基地局から、複数のエレベーション・ビームを用いて送信された第１の基準信号を受信することによって開始しうる。
【００５７】
[0068]１１０２において、ＵＥは、第１の基準信号に基づいて、複数のエレベーション・ビームから、少なくとも１つの好適なエレベーション・ビームを選択しうる。ある態様によれば、各エレベーション・ビームは、エレベーション・プリコーディング・ベクトルのエントリのアグリゲーションとして生成されうる。
【００５８】
[0069]１１０４において、ＵＥは、少なくとも１つの好適なエレベーション・ビームのインジケーションを、基地局へ提供しうる（例えば、グループにおけるオフセットおよびエレベーション・ビームのグループ・インデクスのインジケーションであって、グループに関するフィードバックは、グループ内のオフセットに関するフィードバックほど頻繁には提供されない）。態様では、例えば、エレベーション角度幅が、第１の基準信号に基づいて決定されたようなしきい値を上回る場合、ＵＥは、少なくとも２つの好適なエレベーション・ビームをフィードバックする。
【００５９】
[0070]１１０６において、ＵＥは、複数のアジマス・ポートと好適なエレベーション・ビームを用いて送信された第２の基準信号（例えば、各好適なエレベーション・ビームに関するＵＥ特有のチャネル状態情報基準信号（ＣＳＩ−ＲＳ）リソース）を受信しうる。
【００６０】
[0071]ある態様によれば、第１の基準信号が、共通のチャネル状態情報基準信号（ＣＳＩ−ＲＳ）リソースを用いて送信され、第２の基準信号が、ＵＥ特有のＣＳＩ−ＲＳリソースを用いて送信される。
【００６１】
[0072]１１０８において、ＵＥは、第２の基準信号に基づいて、第２のステージのチャネル・フィードバック（例えば、ＣＱＩおよびＰＭＩ）を基地局へ提供しうる。ある態様によれば、チャネル・フィードバックは、チャネル品質インジケータ（ＣＱＩ）と、プリコーディング行列インジケータ（ＰＭＩ）とのうちの少なくとも１つを備える。態様では、ＵＥは、好適なエレベーション・ビームのアジマスＰＭＩをフィードバックしうる。態様では、仮想エレベーション・ビームは、エレベーション次元におけるアンテナ・ポートを、多くの仮想ビームへマップすることによって形成されうる。複数のエレベーション・ビームは、固定されたエレベーション・ビームであり、固定された各エレベーション・ビームは、特定のチャネル状態情報基準信号（ＣＳＩ−ＲＳ）リソースへマップされる。
【００６２】
[0073]ある態様によれば、ＵＥは、このマッピングに関する情報を示すシグナリングを受信しうる。ＵＥはまた、少なくとも１つの好適ではない干渉エレベーション・ビーム、または、エレベーション・ビームのグループ・インデクス、のインジケーションを、基地局へ提供しうる。
【００６３】
[0074]図１２は、本開示のある態様にしたがう無線通信のための例示的な動作１２００を例示する。動作１２００は、例えば、多次元アレイをなす送信アンテナ（例えば、ＢＳ１１０）を有する基地局によって実行されうる。動作１２００は、１２０２において、複数のエレベーション・ビームを用いて第１の基準信号を送信することによって開始しうる。例えば、ＢＳは、エレベーション・ビームを、ビームのグループへ分類し、リソース・ブロック毎に、各グループから１つのビームのみを送信しうる。各グループにおけるビームは、サイクリック・シフトされ、時間シンボルおよび周波数リソース・ブロックで送信されうる。
【００６４】
[0075]１２０４において、ＢＳは、第１の基準信号に基づいて、複数のエレベーション・ビームから選択された少なくとも１つの好適なエレベーション・ビームのインジケーション（例えば、第１の基準信号に基づいて決定されたようなしきい値を、エレベーション角度幅が上回る場合、少なくとも２つの好適なエレベーション・ビーム）をユーザ機器（ＵＥ）から受信しうる。例えば、ＢＳは、グループにおけるオフセット、およびエレベーション・ビームのグループ・インデクスのインジケーションを送信しうる。グループに関するフィードバックは、オフセットに関するフィードバックほど頻繁に受信されないことがありうる。
【００６５】
[0076]１２０６において、ＢＳは、複数のアジマス・ポートと好適なエレベーション・ビームを用いて、第２の基準信号（例えば、各好適なエレベーション・ビームに関するＵＥ特有のＣＳＩ−ＲＳリソース）を送信しうる。ある態様によれば、第１の基準信号が、共通のチャネル状態情報基準信号（ＣＳＩ−ＲＳ）リソースを用いて送信され、第２の基準信号が、ＵＥ特有のＣＳＩ−ＲＳリソースを用いて送信される。
【００６６】
[0077]態様では、共通のＣＳＩ−ＲＳリソースが、エレベーション認識ＵＥのために設定され、基地局は、非エレベーション認識ＵＥのためのＵＥ特有のＣＳＩ−ＲＳ送信のために、セル・レベル・エレベーション・アンテナ・アグリゲーションを適用する。
【００６７】
[0078]１２０８において、ＢＳは、第２の基準信号に基づいて、ＵＥから第２のステージのチャネル・フィードバック（例えば、好適なエレベーション・ビームのアジマスＰＭＩおよびＣＱＩ）を受信しうる。
【００６８】
[0079]態様では、仮想エレベーション・ビームは、エレベーション次元におけるアンテナ・ポートを、多くの仮想ビームへマップすることによって形成されうる。各エレベーション・ビームは、エレベーション・プリコーディング・ベクトルのエントリのアグリゲーションとして生成されうる。
【００６９】
[0080]ある態様によれば、ＢＳは、マッピングに関する情報を示すシグナリングを送信しうる。態様では、ＢＳはまた、少なくとも１つの好適ではない干渉エレベーション・ビーム、または、エレベーション・ビームのグループ・インデクス、のインジケーションを、ＵＥから受信しうる。
【００７０】
[0081]Ｅ個のポートをＭ個のエレベーション・ビームへマップする共通のＣＳＩ−ＲＳおよびエレベーション・アンテナ・アグリゲーションを測定しフィードバックするためのエレベーション認識ＵＥのための共通のＣＳＩ−ＲＳを定義することによって、フル・チャネル・フィードバックと比べて低いＣＳＩフィードバック・オーバヘッドが可能となり、チャネル測定のためにより少ないＵＥ専用ＣＳＩ−ＲＳリソースを使用し、最大Ｅ×Ａ個のランクを持つエレベーションでのＭＩＭＯをサポートし、レガシーＵＥとの後方互換性を有しうる。
【００７１】
[0082]当業者であれば、情報および信号は、さまざまな異なる技術および技法のうちの何れかを用いて表されうることを理解するであろう。例えば、前述した記載を通じて参照されたデータ、命令群、指示、情報、信号、ビット、シンボル、およびチップは、電圧、電流、電磁波、磁場または磁気粒子、光場または光粒子、またはこれらの任意の組み合わせによって表されうる。
【００７２】
[0083]当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとのこの相互置換性を明確に例示するために、例示的なさまざまな構成要素、ブロック、モジュール、回路、およびステップが、これらの機能の観点から一般に上述された。これら機能がハードウェアとしてまたはソフトウェアとして実現されるかは、特定の用途およびシステム全体に課せられている設計制約に依存する。当業者であれば、特定の用途の各々に応じて変化する方式で、前述した機能を実現しうる。しかしながら、この適用判断は、本発明の範囲からの逸脱をもたらすものと解釈されるべきではない。
【００７３】
[0084]本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサはマイクロプロセッサでありうるが、代替例では、このプロセッサは、従来の任意のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１つまたは複数のマイクロ・プロセッサ、またはその他任意のこのような構成であるコンピューティング・デバイスの組み合わせとして実現されうる。
【００７４】
[0085]本明細書の開示に関連して説明された方法またはアルゴリズムのステップは、ハードウェアでダイレクトに、プロセッサによって実行されるソフトウェア・モジュールで、またはこの２つの組み合わせで実施されうる。ソフトウェア・モジュールは、ＲＡＭメモリ、フラッシュ・メモリ、ＲＯＭメモリ、ＥＰＲＯＭメモリ、ＥＥＰＲＯＭ（登録商標）メモリ、レジスタ、ハードディスク、リムーバブル・ディスク、ＣＤ−ＲＯＭ、あるいは当該技術で周知のその他任意の形態の記憶媒体に存在しうる。典型的な記憶媒体は、プロセッサがそこから情報を読み取り、および／または、そこに情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。一般に、図面に例示された動作が存在する場合、これら動作は、同じ符番を付された対応するミーンズ・プラス・ファンクション構成要素を有しうる。
【００７５】
[0086]１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１つまたは複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、対より線、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、対より線、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含む。ここでｄｉｓｋは、通常、データを磁気的に再生する一方、ｄｉｓｃは、レーザを用いてデータを光学的に再生する。上記の組み合わせもまた、コンピュータ読取可能な媒体の範囲内に含まれるべきである。
【００７６】
[0087]本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2016511572.tif 000003
【図２】
2016511572.tif 000004
【図３】
2016511572.tif 000005
【図４】
2016511572.tif 000006
【図５】
2016511572.tif 000007
【図６】
2016511572.tif 000008
【図７】
2016511572.tif 000009
【図８】
2016511572.tif 000010
【図９】
2016511572.tif 000011
【図１０】
2016511572.tif 000012
【図１１】
2016511572.tif 000013
【図１２】
2016511572.tif 000014
【国際調査報告】
2016511572.tif 000015
2016511572.tif 000016